(57)【要約】【課題】大容量のメモリを必要とせずに多彩な画面デザインを実現可能な電子機器を提供すること。【解決手段】ディスプレイ２１と、特定の画像データを格納する画像データ格納部３１と、画像データ格納部３１に格納された特定の画像データに所定の加工処理を行う加工処理部３２と、ディスプレイ２１に特定の画像データをディスプレイ２１に表示していないときに第１の命令信号を受信すると特定の画像データをディスプレイ２１に表示する一方、ディスプレイ２１に特定の画像データをディスプレイ２１に表示していないときに第１の命令信号Ｓ１および第２の命令信号Ｓ２を受信すると加工処理部３２により特定の画像データに所定の加工処理を行って当該所定の加工処理が行われた後の画像データをディスプレイ２１に表示する制御部３３とを備える。【選択図】図２
2010278606.tif 000002
【特許請求の範囲】
【請求項１】
表示部と、
特定の画像データを格納する画像データ格納部と、
前記画像データ格納部に格納された前記特定の画像データに所定の加工処理を行う加工処理部と、
第１の命令信号を受信すると前記特定の画像データを前記表示部に表示する一方、前記第１の命令信号および第２の命令信号を受信すると前記加工処理部により前記特定の画像データに所定の加工処理を行って当該所定の加工処理が行われた後の画像データを前記表示部に表示する制御部と、を備えることを特徴とする電子機器。
【請求項２】
前記特定の画像データは、待ち受け状態時に前記表示部に表示される待受用の画像データであり、
前記第１の命令信号は、前記待受用の画像データを前記制御部により前記表示部に表示させるための信号であり、
前記第２の命令信号は、前記待受用の画像データを前記制御部により前記加工処理部を介して前記特定の画像データに所定の加工処理を行わせるための信号である、ことを特徴とする請求項１に記載の電子機器。
【請求項３】
前記表示部は、矩形状に形成されると共に、長手方向において所定の画素数の画像データを表示可能に構成され、
前記特定の画像データは、縦方向の画素数と横方向の画素数との比率が１対１であり、かつ、当該縦方向の画素数および横方向の画素数が、前記表示部の長手方向における画素数と略同一であり、
前記加工処理部は、前記画像データ格納部に格納された前記特定の画像データに前記所定の加工処理として右回り又は左回りに略９０度の回転処理を行う、ことを特徴とする請求項１又は請求項２に記載の電子機器。
【請求項４】
被写体を撮像する撮像部を備え、
前記制御部は、前記撮像部により撮像された被写体を前記縦方向の画素数と横方向の画素数との比率が１対１であり、かつ、当該縦方向の画素数および横方向の画素数が、前記表示部の長手方向における画素数と略同一である前記特定の画像データとして前記画像データ格納部に格納する、ことを特徴とする請求項３に記載の電子機器。
【請求項５】
前記制御部は、前記第１の命令信号および第２の命令信号を受信した場合における前記加工処理部による前記特定の画像データの所定の加工処理を前記画像データ格納部に格納された前記特定の画像データの縦方向の画素数および横方向の画素数との比率に応じて異ならせる、ことを特徴とする請求項１記載の電子機器。
【発明の詳細な説明】
【技術分野】
【０００１】
本発明は、記憶部に格納されている特定の画像を表示部に表示する電子機器に関する。
【背景技術】
【０００２】
現在、電子機器の表示部に表示されるユーザインターフェースは、アイコンに機能を持たせるグラフィカルユーザインターフェース（ＧＵＩ）が主流である。このアイコンによる機能の表現は、文字だけのキャラクタユーザインターフェース（ＣＵＩ）と比較して、ユーザが直感的に操作することが可能となる。
【０００３】
また、このようなユーザインターフェースを３次元的に動きのあるアイコンに変更することによって、ユーザの操作性および視認性等を向上する技術が提案されている（例えば、特許文献１を参照）。このようにして、電子機器の画面上で各種情報を多彩なデザインで表現する傾向にある。
【０００４】
また、電子機器では、使用者の興味を惹きつけるために、時刻や時間間隔に対応して表示されている画像データが適宜変更するようなものもある（例えば、特許文献２を参照。）。
【先行技術文献】
【特許文献】
【０００５】
【特許文献１】特開２００４−２１５２２号公報
【特許文献２】特開２００２−１５２３４５号公報
【発明の概要】
【発明が解決しようとする課題】
【０００６】
ところで、電子機器の画面上で表現される多彩なデザインは、一般的に画像データの容量が大きい。また、特許文献２に記載の技術を採用した場合には、複数の画像データが必要になり、大容量の画像データ格納部が必要となる。
【０００７】
本発明は、大容量の画像データ格納部を必要とせずに多彩な表示を実現可能な電子機器を提供することを目的とする。
【課題を解決するための手段】
【０００８】
本発明に係る電子機器は、上記課題を解決するために、表示部と、特定の画像データを格納する画像データ格納部と、前記画像データ格納部に格納された前記特定の画像データに所定の加工処理を行う加工処理部と、前記表示部に前記特定の画像データを前記表示部に表示していないときに第１の命令信号を受信すると前記特定の画像データを前記表示部に表示する一方、前記表示部に前記特定の画像データを前記表示部に表示していないときに前記第１の命令信号および第２の命令信号を受信すると前記加工処理部により前記特定の画像データに所定の加工処理を行って当該所定の加工処理が行われた後の画像データを前記表示部に表示する制御部と、を備えることを特徴とする。
【０００９】
また、上記電子機器では、前記特定の画像データは、待ち受け状態時に前記表示部に表示される待受用の画像データであり、前記第１の命令信号は、前記待受用の画像データを前記制御部により前記表示部に表示させるための信号であり、前記第２の命令信号は、前記待受用の画像データを前記制御部により前記加工処理部を介して前記特定の画像データに所定の加工処理を行わせるための信号であることが好ましい。
【００１０】
また、上記電子機器では、前記表示部は、矩形状に形成されると共に、長手方向において所定の画素数の画像データを表示可能に構成され、前記特定の画像データは、縦方向の画素数と横方向の画素数との比率が１対１であり、かつ、当該縦方向の画素数および横方向の画素数が、前記表示部の長手方向における画素数と略同一であり、記加工処理部は、前記画像データ格納部に格納された前記特定の画像データに前記所定の加工処理として右回り又は左回りに略９０度の回転処理を行うことが好ましい。
【００１１】
また、上記電子機器では、被写体を撮像する撮像部を備え、前記制御部は、前記撮像部により撮像された被写体を前記縦方向の画素数と横方向の画素数との比率が１対１であり、かつ、当該縦方向の画素数および横方向の画素数が、前記表示部の長手方向における画素数と略同一である前記特定の画像データとして前記画像データ格納部に格納する、ことが好ましい。
【００１２】
また、上記電子機器では、前記制御部は、前記画像データ格納部に格納された前記特定の画像データの縦方向の画素数および横方向の画素数との比率に応じて、前記表示部に前記特定の画像データを前記表示部に表示していないときに前記第１の命令信号および第２の命令信号を受信した場合における前記加工処理部による前記特定の画像データの所定の加工処理を異ならせることが好ましい。
【発明の効果】
【００１３】
本発明によれば、大容量の画像データ格納部を必要とせずに多彩な表示を実現することができる。
【図面の簡単な説明】
【００１４】
【図１】本発明に係る携帯電話装置の外観を示す斜視図である。
【図２】本発明に係る携帯電話装置の機能を示すブロック図である。
【図３】本発明に係る携帯電話装置の加工処理部による加工処理の説明に供する図である。
【図４】特定の画像データの縦横比の違いによる加工処理についての説明に供する図である。
【図５】携帯電話装置が折畳み状態から開放状態に変移した場合に、フレーム画像が順次変更される様子を模式的に示す図である。
【発明を実施するための形態】
【００１５】
以下、本発明の実施の形態について説明する。図１は、本発明に係る電子機器の一例である携帯電話装置１の外観斜視図を示す。なお、以下では、携帯電話装置について説明するが、本発明はこれに限定されるものではなく、撮像機能および通信機能を有するものであれば良く、例えば、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１６】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００１７】
また、表示部側筐体部３は、表面部２０に、各種の情報を表示するためのディスプレイ２１と、通話の相手側の音声を出力する音声出力部２２と、被写体を撮像するＣＣＤ（Ｃｈａｒｇｅ  Ｃｏｕｐｌｅｄ  Ｄｅｖｉｃｅ）カメラ等により構成される撮像部２３と、音楽等を外部に出力するスピーカ２４と、を備えて構成されている。なお、本実施の形態においては、撮像部２３は、表示部側筐体部３の表面部２０に配置されているが、配置位置はこれに限られず、被写体を撮像可能な位置であれば良い。
【００１８】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００１９】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２０】
つぎに、携帯電話装置１の内部動作について具体的に説明する。携帯電話装置１は、通信の待受を行うアプリケーション（以下、待受アプリという。）がＯＳ（以下、ベースアプリという。）から起動要求されると、待受アプリを記憶部（例えば、後述する第１の格納部３１ａ）から読み出し、待受アプリ自らのワークエリアを確保した上で、メモリ（例えば、後述する第２の格納部３１ｂ）上に展開する。その後、携帯電話装置１では、待受アプリにより、設定されている背景画像（特定の画像データ）を判定する。そして、携帯電話装置１は、フラッシュプレーヤー上で再生可能な背景画像が設定されていると判定した場合、設定されている背景画像を第１の格納部３１ａから読み出して、第２の格納部３１ｂ内の待受アプリのワークエリア内に、背景画像を展開する。また、待受アプリは、必要に応じて、自身のワークエリア（ヒープメモリ）を待受アプリのワークエリア内のフラッシュの展開領域内に確保する。
【００２１】
このような携帯電話装置１の主な実施例としては、以下のものがある。
（１）携帯電話装置１は、背景画像（例えば、待受用の画像データ）を起動毎に回転処理を実行する機能を有する。例えば、携帯電話装置１は、画像データをフラッシュプレーヤー等のアプリケーション上で回転処理を実行する。したがって、携帯電話装置１は、リッチな画像データを複数データ使用することなく、一つの画像データに対して、起動毎に回転処理を実行するので、待受け画面やメニュー画面の小容量化と展開メモリのサイズに制限をかけながら、多彩なデザイン表現を実現できる。
【００２２】
（２）携帯電話装置１は、背景画像（例えば、待受用の画像データ）の起動毎に反転処理を実行する機能を有する。例えば、携帯電話装置１は、画像データをフラッシュプレーヤー等のアプリケーション上で反転処理を実行する。したがって、携帯電話装置１は、リッチな画像データを複数データ使用することなく、一つの画像データに対して、起動毎に反転処理を実行するので、待受け画面やメニュー画面の小容量化と展開メモリのサイズに制限をかけながら、多彩なデザイン表現を実現できる。
【００２３】
（３）携帯電話装置１は、背景画像（例えば、待受用の画像データ）に上述の（１）又は（２）の加工処理を実行し、その背景画像に各種のフレーム画像を重ね合わせる処理を実行する機能を有する。例えば、携帯電話装置１は、無彩色系のフレーム画像を複数用意しておき、加工処理後の背景画像に任意に選択したフレーム画像を重ね合わせる処理を実行する。したがって、携帯電話装置１は、リッチな画像データを複数データ使用することなく、一つの画像データに対して、起動毎に反転処理を実行し、かつ任意のフレーム画像を合成するので、待受け画面やメニュー画面の小容量化と展開メモリのサイズに制限をかけながら、多彩なデザイン表現を実現できる。
【００２４】
ここで、上述したような機能を発揮するための構成について、図２を用いて説明する。携帯電話装置１は、図２に示すように、ディスプレイ２１と、画像データ格納部３１と、加工処理部３２と、制御部３３とを備える。
【００２５】
画像データ格納部３１は、特定の画像データを格納する格納部である。また、画像データ格納部３１は、例えば、第１の格納部３１ａと、第２の格納部３１ｂから構成される。
第１の格納部３１ａは、例えば、不揮発性メモリにより構成されており、プリセットされている特定の画像データや、インターネットからダウンロードされた画像データ等の各種の画像データが格納される。ここで、プリセットされている特定の画像データは、リッチな画像データ（多彩で表現力が豊かな画像データ）である。なお、第１の格納部３１ａは、画像データ以外のデータ（テキストデータ等）を格納する汎用的な格納部であっても良い。
【００２６】
また、第２の格納部３１ｂは、例えば、揮発性メモリにより構成されており、フレームメモリとして機能する。したがって、第２の格納部３１ｂに格納された画像データがディスプレイ２１に表示される。
【００２７】
加工処理部３２は、画像データ格納部３１に格納された特定の画像データに所定の加工処理を実行する。
【００２８】
制御部３３は、ディスプレイ２１に特定の画像データを表示していないときであって、第１の命令信号を受信した場合、特定の画像データをディスプレイ２１に表示するように制御する一方、ディスプレイ２１に特定の画像データを表示していないときであって、第１の命令信号Ｓ１および第２の命令信号Ｓ２を受信した場合、加工処理部３２により特定の画像データに所定の加工処理を実行させ、当該所定の加工処理後の特定の画像データをディスプレイ２１に表示するように制御する。
【００２９】
また、「ディスプレイ２１に特定の画像データを表示していないとき」とは、例えば、ディスプレイ２１にメニュー画面が表示されている状態や、ディスプレイ２１に何も表示されていない状態（いわゆる待機状態）を示す概念である。
【００３０】
ここで、加工処理部３２により行われる画像データの加工処理について説明する。加工処理部３２は、制御部３３による制御に応じて、第２の格納部３１ｂに格納されている特定の画像データ（図３（ａ））を反転する処理（反転処理後の模式図を図３（ｂ）に示す）や、特定の画像データ（図３（ａ））を所定の角度に回転する処理（回転処理後の模式図を図３（ｃ）に示す）や、特定の画像データ（図３（ａ））を回転処理後に反転処理（処理後の模式図を図３（ｄ）に示す）等を行う。このような加工処理は、処理負担が少なく、消費電力を少なく抑えることができる。また、携帯電話装置１では、加工処理の対象となる特定の画像データが対称性の良い画像データであれば、加工処理の前後において変化の程度が小さく、全体的なデザイン性を損なわず、使用者に対して違和感を与えないようにできる。なお、図３に示した処理は一例であって、加工処理部３２は、処理負担が小さい加工処理であれば他の加工処理を実行しても良く、例えば、画像データを拡大・縮小処理を実行しても良い。
【００３１】
したがって、携帯電話装置１は、第２の命令信号Ｓ２を受信せずに、第１の命令信号Ｓ１を受信した場合、加工処理を実行しないで特定の画像データをディスプレイ２１に表示し、第１の命令信号Ｓ１および第２の命令信号Ｓ２を受信した場合、加工処理後の特定の画像データをディスプレイ２１に表示するので、処理負担を小さくしつつ多彩な画面デザインを実現することができる。また、特定の画像データは、階調値に大きな差がなく、データ容量が小さなものであることが好ましい。このように画像データの容量が小さければ、携帯電話装置１は、第１の格納部３１ａおよび第２の格納部３１ｂを小容量のもので構成することができ、コストダウンを図ることができる。
【００３２】
また、特定の画像データは、待ち受け状態時にディスプレイ２１に表示される待受用の画像データである。また、第１の命令信号Ｓ１は、待受用の画像データを制御部３３によりディスプレイ２１に表示させるための信号である。また、第２の命令信号Ｓ２は、待受用の画像データを制御部３３により加工処理部３２を介して特定の画像データに所定の加工処理を実行させるための信号である。
【００３３】
第１の格納部３１ａには、待受時に利用されるリッチな特定の画像データ（多彩で表現力が豊かな画像データ）が格納されている。また、特定の画像データは、ディスプレイ２１の表示領域と同程度の大きさに加工されている。したがって、携帯電話装置１では、ディスプレイ２１に特定の画像データを表示する際に、ディスプレイ２１の表示領域に調整するための処理（画像データを拡大したり縮小したりする処理）を不要とし、処理負担を軽減させることができる。
【００３４】
また、携帯電話装置１においては、待受用の特定の画像データが予め指定されている。制御部３３は、指定されている特定の画像データを第１の格納部３１ａから読み出し、読み出した特定の画像データを第２の格納部３１ｂに格納する。制御部３３は、第１の命令信号Ｓ１および第２の命令信号Ｓ２を受信した場合に、加工処理部３２を制御し、第２の格納部３１ｂに格納されている待受用の特定の画像データに加工処理を実行させる。そして、制御部３３は、加工処理後の待受用の特定の画像データをディスプレイ２１に表示するように制御する。
【００３５】
したがって、携帯電話装置１は、第２の命令信号Ｓ２を受信せずに、第１の命令信号Ｓ１を受信した場合、加工処理を実行させないで待受用の特定の画像データをディスプレイ２１に表示し、第１の命令信号Ｓ１および第２の命令信号Ｓ２を受信した場合、加工処理後の待受用の特定の画像データをディスプレイ２１に表示するので、処理負担を小さくしつつ多彩な画面デザインを実現することができる。また、待受用の特定の画像データは、階調値に大きな差がなく、データ容量が小さなものであることが好ましい。このように画像データの容量が小さければ、携帯電話装置１は、第１の格納部３１ａおよび第２の格納部３１ｂを小容量のもので構成することができ、コストダウンを図ることができる。
【００３６】
また、ディスプレイ２１は、矩形状に形成されると共に、長手方向において所定の画素数の画像データを表示可能に構成される。また、特定の画像データは、縦方向の画素数と横方向の画素数との比率が１対１であり、かつ、当該縦方向の画素数および横方向の画素数が、ディスプレイ２１の長手方向における画素数と略同一の正方形画像データである。また、加工処理部３２は、画像データ格納部３１に格納された正方形画像データに所定の加工処理として右回り又は左回りに略９０度の回転処理を行う。
【００３７】
また、加工処理部３２は、ディスプレイ２１の表示領域に空白部分（画像データが表示されない部分）が生じない程度の角度に回転処理を実行するものであり、右回り又は左回りに略９０度の回転処理だけでなく、右回り又は左回りに略１８０度や、略２７０度に回転処理しても良く、その他の回転角度であっても良い。
【００３８】
このように構成されることにより、加工処理部３２は、特定の画像データ（図４（ａ）中の斜線部分）に対して右回り又は左回りに略９０度等の回転処理を行うことができ、ディスプレイ２１の縦横比の１対１でなく、縦方向の画素数がディスプレイ２１の長手方向における画素数と略同一であり、かつ横方向の画素数がディスプレイ２１の短手方向における画素数と略同一の画像データ（以下、長方形画像データという。）に比して、回転処理のバリエーションを増加させることができる。長方形画像データは、例えば、図４（ｂ）に示すように、右回り又は左回りに９０度の回転処理を行ってしまうと、ディスプレイ２１の表示領域（図４（ｂ）中の点線で囲った領域）に空白部分（画像データが表示されない部分）が生じてしまう。
【００３９】
なお、長方形画像データは、正方形画像データに比して回転処理のバリエーションが少ないが、容量を小さくできる利点がある。したがって、携帯電話装置１は、回転処理のバリエーションに比重を置くのであれば、正方形画像データを選択し、また、容量の小ささに比重を置くのであれば、長方形画像データを適宜選択する構成であっても良い。
【００４０】
携帯電話装置１は、上述したように、被写体を撮像する撮像部２３を備える。制御部３３は、撮像部２３により撮像された被写体を縦方向の画素数と横方向の画素数との比率が１対１であり、かつ、当該縦方向の画素数および横方向の画素数が、ディスプレイ２１の長手方向における画素数と略同一である特定の画像データとして画像データ格納部３１に格納する。
【００４１】
制御部３３は、例えば、撮像部２３によって被写体が撮像され、撮像画像を保存する操作が行われた際に、撮像画像データの縦方向の画素数と横方向の画素数の比率が１対１であり、かつ、当該縦方向の画素数および横方向の画素数が、ディスプレイ２１の長手方向における画素数と同一となるように加工して保存する。
【００４２】
このように構成されることによって、携帯電話装置１は、撮像データを待受用の画像に設定する際に、表示画面のサイズに調整する処理が不要となり、処理負担の軽減を図ることができる。また、携帯電話装置１は、使用者が撮像した画像データを特定の画像データとしてディスプレイ２１に表示し、この状態において、第１の命令信号Ｓ１および第２の命令信号Ｓ２を受信した場合には、当該特定の画像データに加工処理を施し再表示させる。このようにして、携帯電話装置１は、使用者が撮像した画像データを一定条件下に順次、所定の加工処理を実行してディスプレイ２１に表示するので、処理負担を小さくしつつ多彩な画面デザインを実現することができる。
【００４３】
また、加工処理部３２は、画像データに対して右回りに略９０度等の回転処理を行うことができ、縦方向の画素数と横方向の画素数との比率が１対１でなく、当該縦方向の画素数がディスプレイ２１の長手方向における画素数と略同一であり、当該横方向の画素数がディスプレイ２１の短手方向における画素数と略同一である長方形画像データに比して、回転処理のバリエーションを増加させることができる。
【００４４】
また、携帯電話装置１は、上述したように、ディスプレイ２１が配置される表示部側筐体部３（第１の筐体）と、操作部側筐体部２（第２の筐体）と、ヒンジ機構４（連結部）と、第１の検出部３４と、第１の送信部３５と、第２の送信部３６と、第２の検出部３７とを備える。
【００４５】
表示部側筐体部３と操作部側筐体部２は、ヒンジ機構４により相対的な位置が変移し、例えば、開放状態又は折畳み状態に変移する。第１の検出部３４は、表示部側筐体部３と操作部側筐体部２の相対的な位置状態を検出する。第１の送信部３５は、第１の検出部３４により検出された位置状態が所定の位置状態である場合、第１の命令信号Ｓ１を生成して制御部３３に送信する。
【００４６】
具体的には、第１の送信部３５は、第１の検出部３４による検出結果に基づいて、第１の検出部３４により携帯電話装置１が折畳み状態から開放状態に変移したことを検出した場合に、第１の命令信号Ｓ１を生成して制御部３３に送信する。
【００４７】
制御部３３は、第１の命令信号Ｓ１を受信し、ディスプレイ２１に特定の画像データをディスプレイ２１に表示していない場合、特定の画像データをディスプレイ２１に表示するように制御する。
【００４８】
なお、第１の検出部３４は、表示部側筐体部３と操作部側筐体部２の位置状態の変化を検出する機能だけには限定されず、予め定められた条件（例えば、メール等の着信）を検出する機能を有していても良い。
【００４９】
また、第２の検出部３７は、予め定められた条件（例えば、待受アプリの起動や、一定の時間が経過したときや、メールを受信したこと等）を検出する。第２の送信部３６は、第２の検出部３７による検出結果に基づいて、第２の命令信号Ｓ２を生成して制御部３３に送信する。
【００５０】
制御部３３は、ディスプレイ２１に特定の画像データを表示していないときであって、第２の命令信号Ｓ２を受信せずに第１の命令信号Ｓ１を受信した場合、特定の画像データをディスプレイ２１に表示するように制御する一方、ディスプレイ２１に特定の画像データを表示していないときであって、第１の命令信号Ｓ１および第２の命令信号Ｓ２を受信した場合、加工処理部３２により特定の画像データに所定の加工処理を実行させ、当該所定の加工処理後の特定の画像データをディスプレイ２１に表示するように制御する。
【００５１】
このようにして、携帯電話装置１は、第２の命令信号Ｓ２を受信せずに、第１の命令信号Ｓ１を受信した場合、加工処理を実行しないで特定の画像データをディスプレイ２１に表示し、第１の命令信号Ｓ１および第２の命令信号Ｓ２を受信した場合、加工処理後の特定の画像データをディスプレイ２１に表示するので、処理負担を小さくしつつ多彩な画面デザインを実現することができる。
【００５２】
また、制御部３３は、画像データ格納部３１（第２の格納部３１ｂ）に格納された特定の画像データの縦方向の画素数および横方向の画素数との比率に応じて、ディスプレイ２１に特定の画像データをディスプレイ２１に表示していないときに第１の命令信号Ｓ１および第２の命令信号Ｓ２を受信した場合における加工処理部３２による特定の画像データの所定の加工処理を異ならせるように動作しても良い。
【００５３】
例えば、制御部３３は、特定の画像データが、縦方向の画素数と横方向の画素数との比率が１対１でなく、当該縦方向の画素数がディスプレイ２１の長手方向における画素数と略同一であり、当該横方向の画素数がディスプレイ２１の短手方向における画素数と略同一である長方形画像データである場合には、反転処理や、略１８０度の回転処理を行い、略９０度の回転処理は行わないように、加工処理部３２を制御する。また、制御部３３は、特定の画像データが、縦方向の画素数と横方向の画素数との比率が１対１であり、かつ、当該縦方向の画素数および横方向の画素数が、ディスプレイ２１の長手方向における画素数と略同一の正方形画像データである場合には、反転処理や、略９０度等の回転処理を行うように加工処理部３２を制御する。
【００５４】
このようにして、携帯電話装置１は、特定の画像データの縦方向の画素数および横方向の画素数との比率に応じて加工処理を異ならすように制御するので、特定の画像データの特性に応じて、処理負担を小さくしつつ多彩な画面デザインを実現することができる。また、特定の画像データは、階調値に大きな差がなく、データ容量が小さなものであることが好ましい。このように特定の画像データの容量が小さければ、携帯電話装置１は、第１の格納部３１ａおよび第２の格納部３１ｂを小容量のもので構成することができ、コストダウンを図ることができる。
【００５５】
また、携帯電話装置１は、図２に示すように、ディスプレイ２１に待受用の画像データが表示される際に、画像データ上に装飾的な効果を与えるフレーム画像を格納するフレーム画像格納部４１を備える構成であっても良い。
【００５６】
携帯電話装置１は、第２の命令信号Ｓ２を受信せずに第１の命令信号Ｓ１を受信した場合、加工処理を行っていない待受用の特定の画像データに、フレーム画像格納部４１から読み出したフレーム画像を合成してディスプレイ２１に表示する。また、携帯電話装置１は、第１の命令信号Ｓ１および第２の命令信号Ｓ２を受信した場合、加工処理を行った待受用の特定の画像データに、フレーム画像格納部４１から読み出したフレーム画像を合成してディスプレイ２１に表示する。したがって、携帯電話装置１は、処理負担を小さくしつつ多彩な画面デザインを実現することができる。また、待受用の特定の画像データは、階調値に大きな差がなく、データ容量が小さなものであることが好ましい。このように画像データの容量が小さければ、携帯電話装置１は、第１の格納部３１ａおよび第２の格納部３１ｂを小容量のもので構成することができ、コストダウンを図ることができる。
【００５７】
また、フレーム画像は、例えば、容量の小さな無彩色のフレーム画像である。例えば、加工処理部３２は、フレーム画像を加工処理後の特定の画像データよりも上位のレイヤーであって、固定した位置に配置する。このようにすることによって、携帯電話装置１は、フラッシュ等により生成される時計の表示位置を変更することなく特定の画像データにフレーム画像を合成して表示させることができる。
【００５８】
また、フレーム画像格納部４１には、複数のフレーム画像が格納されていることが好ましい。このように構成される場合には、携帯電話装置１は、第２の命令信号Ｓ２を受信せずに、第１の命令信号Ｓ１を受信した場合、加工処理を実行させないで待受用の特定の画像データにフレーム画像格納部４１から無作為に、又は一定のルールにしたがって読み出したフレーム画像を合成してディスプレイ２１に表示する。また、携帯電話装置１は、第１の命令信号Ｓ１および第２の命令信号Ｓ２を受信した場合、加工処理後の待受用の特定の画像データにフレーム画像格納部４１から無作為に、又は一定のルールにしたがって読み出したフレーム画像を合成してディスプレイ２１に表示する。したがって、携帯電話装置１は、処理負担を小さくしつつ多彩な画面デザインを実現することができる。
【００５９】
また、フレーム画像は、例えば、容量の小さな無彩色のフレーム画像である。例えば、加工処理部３２は、フレーム画像を加工処理後の特定の画像データよりも上位のレイヤーであって、固定した位置に配置する。このようにすることによって、携帯電話装置１は、フラッシュ等により生成される時計の表示位置を変更することなく特定の画像データにフレーム画像を合成して順次表示させることができる。
【００６０】
ここで、携帯電話装置１が折畳み状態から開放状態に変移した場合に、フレーム画像が順次変更される様子を図５に模式的に示す。図５（ａ）は、元となる特定の画像データに矩形形状のフレーム画像を合成し、当該フレーム画像の所定の位置に時計表示をしたときの様子を模式的に示す。また、図５（ｂ）は、携帯電話装置１の状態が変移した場合（例えば、携帯電話装置１が折畳み状態にされ、その後開放状態にされた場合）、元となる特定の画像データに対して反転処理を実行し、当該画像データに三角形状のフレーム画像を合成し、当該フレーム画像の所定の位置に時計表示をしたときの様子を模式的に示す。また、図５（ｃ）は、携帯電話装置１の状態が変移した場合、元となる特定の画像データに略１８０度の回転処理を実行し、当該画像データに半楕円形状のフレーム画像を合成し、当該フレーム画像の所定の位置に時計表示をしたときの様子を模式的に示す。また、図５（ｄ）は、携帯電話装置１の状態が変移した場合、元となる特定の画像データに反転処理と略１８０度の回転処理を実行し、当該画像データに台形形状のフレーム画像を合成し、当該フレーム画像の所定の位置に時計表示をしたときの様子を模式的に示す。なお、図５に示す表示態様は一例であって、これに限られない。
【００６１】
また、加工処理部３２は、第２の制御信号Ｓ２を受信した場合に、第２の格納部３１ｂに格納されており、ディスプレイ２１に表示されている画像データと同一の画像データの特徴点を抽出し、当該抽出の結果に基づいて当該画像データの特性を把握し、当該特性に応じた加工処理を行う機能を有していても良い。
【００６２】
具体的には、加工処理部３２は、ディスプレイ２１に表示されている画像データ、すなわち第２の格納部３１ｂに格納されている画像データの特徴点を抽出し、例えば、画像データに人物や動物の顔が含まれていると判断した場合には、当該画像データについての加工処理には、回転処理を行わず、反転処理のみを行うように加工処理を実行する。
【００６３】
したがって、携帯電話装置１は、画像データの特性を考慮して、加工処理を実行するので、使用者に対して違和感のない加工処理を行うことができる。
【符号の説明】
【００６４】
１  携帯電話装置
３  表示部側筐体部（第１の筐体）
２  操作部側筐体部（第２の筐体）
４  ヒンジ機構（連結部）
２１  ディスプレイ
２３  撮像部
３１  画像データ格納部
３１ａ  第１の格納部
３１ｂ  第２の格納部
３２  加工処理部
３３  制御部
３４  第１の検出部
３５  第１の送信部
３６  第２の検出部
３７  第２の送信部
【図１】
2010278606.tif 000003
【図２】
2010278606.tif 000004
【図３】
2010278606.tif 000005
【図４】
2010278606.tif 000006
【図５】
2010278606.tif 000007